(57)【要約】【課題】  表面画像と裏面画像との重なりの部分においても最適な画像を形成することができる画像形成装置を提供する。【解決手段】  入力画像の明度を補正する明度補正部３と、彩度を補正する彩度補正部４とを備え、転写紙の表面に形成する画像の明度情報Ｌ（Ｆ）及び色み情報ａ（Ｆ），ｂ（Ｆ）と、裏面に形成する画像が表面側に透過する明度情報Ｌ（Ｂ）の透過量Ｌ（Ｂ）＋α、裏面に形成する画像が表面側に透過する色み情報ａ（Ｂ），ｂ（Ｂ）の透過量ａ（Ｂ）＋β，ｂ（Ｂ）＋γとから明度及び彩度を補正する。【選択図】        図１
2005175650.tif 000002
【特許請求の範囲】
【請求項１】
転写紙の表面と裏面とに画像を形成する画像形成装置であって、
両面に形成する画像が重なり合う領域で、画像の明度及び彩度を補正する補正手段を有することを特徴とする画像形成装置。
【請求項２】
前記補正手段は、前記転写紙の一方の面に形成する画像の明度及び彩度と、他方の面に形成する画像の明度及び彩度が前記一方の面側に透過する透過量とから明度及び彩度の補正量を求めることを特徴とする請求項１記載の画像形成装置。
【請求項３】
前記補正手段は、補正後の画像のＬ＊ａ＊ｂ＊表色系（または色空間）におけるａ＊値とｂ＊値の比率が、前記転写紙の一方の面に形成する画像の前記ａ＊値と前記ｂ＊値との比率と一致するように画像の彩度を補正することを特徴とする請求項２記載の画像形成装置。
【請求項４】
前記転写紙に光を投射し、該転写紙の明度と彩度の透過量を検出する透過量検出手段を有することを特徴とする請求項１から３のいずれか一項記載の画像形成装置。
【請求項５】
前記転写紙の種別毎に、該転写紙の明度と彩度の透過量を記憶した記憶手段と、
操作者の指示を入力する入力手段とを有し、
前記入力手段により画像を形成する転写紙が指定された際に、前記補正手段は、前記記憶手段を参照して、前記指定された転写紙の明度と彩度の透過量を用いて前記明度及び彩度の補正量を求めることを特徴とする請求項１から４のいずれか一項記載の画像形成装置。
【請求項６】
前記補正手段は、単色モードで画像を形成する場合、明度の補正だけを行うことを特徴とする請求項１から５のいずれか一項記載の画像形成装置。
【請求項７】
転写紙の表面と裏面とに画像を形成する両面画像形成方法であって、
両面に形成する画像が重なり合う領域で、画像の明度及び彩度を補正することを特徴とする両面画像形成方法。
【請求項８】
前記転写紙の一方の面に形成する画像の明度及び彩度と、他方の面に形成する画像の明度及び彩度が前記一方の面側に透過する透過量とから明度及び彩度の補正量を求めることを特徴とする請求項７記載の両面画像形成方法。
【請求項９】
補正後の画像のＬ＊ａ＊ｂ＊表色系（または色空間）におけるａ＊値とｂ＊値の比率が、前記転写紙の一方の面に形成する画像の前記ａ＊値と前記ｂ＊値との比率と一致するように画像の彩度を補正することを特徴とする請求項８記載の両面画像形成方法。
【発明の詳細な説明】
【技術分野】
【０００１】
本発明は、複写機、プリンタ等の画像形成装置に関し、特に、転写紙の両面に画像を形成する画像形成装置及びこの画像形成装置に用いられる両面画像形成方法に関する。
【背景技術】
【０００２】
複写機、プリンタ等の画像形成装置においては、転写紙の両面にそれぞれ異なる画像を形成する両面印刷の機能が一般的に搭載されている。しかしながら、転写紙の両面にそれぞれ異なる画像を印刷した場合、裏写りが生じてしまうことがある。特に、表面と裏面の画像が重なり合う箇所では、裏写りによって意図した色の画像ではなくなってしまうこともある。
【０００３】
特許文献１では、表面原稿と裏面原稿を読み取り手段で読み取り、読み取った表面と裏面の画像濃度に基づいて濃度補正を行う技術が開示されている。例えば、図１５（Ａ）に示されるように表面に緑の像を形成し、図１５（Ｂ）に示されるように裏面に黄色の像を形成する場合、表面の画像濃度について、図１５（Ｃ）に示す斜線以外の領域では、オリジナル原稿通りの画像濃度で印刷を行い、斜線の領域では裏写りを考慮して、イエロー成分の濃度をオリジナル原稿よりも低くする、または取り除く濃度補正を行っている。
【０００４】
【特許文献１】特開平７−１４７６３４号公報
【発明の開示】
【発明が解決しようとする課題】
【０００５】
上述したように特許文献１の開示技術では、表面と裏面の画像の重なりの部分では、表面画像と裏面画像の濃度に基づいて濃度補正を行っている。しかしこのような補正を行うと画像の重なり合う領域で色みが変わってしまう危険性がある。例えば、両方の画像に含まれる色成分をいずれか一方の面には形成しないようにした場合、両面の画像が重なり合って見える所では、所望とする画像が再現されるが、見る方向を変えて表面と裏面の画像にずれが生じると、ずれた部分の色みが変わって見えてしまう。
【０００６】
本発明は上記事情に鑑みてなされたものであり、最適な両面画像を形成することができる画像形成装置及び両面画像形成方法を提供することを目的とする。
【課題を解決するための手段】
【０００７】
かかる目的を達成するために請求項１記載の画像形成装置は、転写紙の表面と裏面とに画像を形成する画像形成装置であって、両面に形成する画像が重なり合う領域で、画像の明度及び彩度を補正する補正手段を有することを特徴としている。
【０００８】
請求項１記載の発明は、両面に形成する画像が重なり合う領域で、画像の明度及び彩度を補正している。このため画像の裏写りによる明度と彩度の低下を抑え、画像が重なりあう領域であっても意図した画像を再現することができる。
【０００９】
請求項２記載の画像形成装置は、請求項１記載の画像形成装置において、前記補正手段は、前記転写紙の一方の面に形成する画像の明度及び彩度と、他方の面に形成する画像の明度及び彩度が前記一方の面側に透過する透過量とから明度及び彩度の補正量を求めることを特徴としている。
【００１０】
請求項２記載の発明は、転写紙の一方の面に形成する画像の明度及び彩度と、他方の面に形成する画像の明度及び彩度が反対側の面に透過する透過量とから補正量を求めている。従って、形成する画像の明度及び彩度と、反対側の面から透過する画像の明度及び彩度とから補正量を決めているので精度の高い補正を行い、画像の重なり合う領域で高い再現性を維持することができる。
【００１１】
請求項３記載の画像形成装置は、請求項２記載の画像形成装置において、前記補正手段は、補正後の画像のＬ＊ａ＊ｂ＊表色系（または色空間）におけるａ＊値とｂ＊値の比率が、前記転写紙の一方の面に形成する画像の前記ａ＊値と前記ｂ＊値との比率と一致するように画像の彩度を補正することを特徴としている。
【００１２】
請求項３記載の発明は、転写紙の一方の面に形成する画像の、Ｌ＊ａ＊ｂ＊表色系（または色空間）におけるａ＊値とｂ＊値との比率に合わせて画像の彩度を補正している。従って、色相を保ちつつ彩度を補正することができ、元の画像と色みが変化することがない。
【００１３】
請求項４記載の画像形成装置は、請求項１から３のいずれか一項記載の画像形成装置において、前記転写紙に光を投射し、該転写紙の明度と彩度の透過量を検出する透過量検出手段を有することを特徴としている。
【００１４】
請求項４記載の発明は、転写紙の明度と彩度の透過量を検出する透過量検出手段を設けたことにより、転写紙毎に明度と彩度の透過する量を検出して、正確な補正を行うことができる。
【００１５】
請求項５記載の画像形成装置は、請求項１から４のいずれか一項記載の画像形成装置において、転写紙の種別毎に、転写紙の明度と彩度の透過量を記憶した記憶手段と、操作者の指示を入力する入力手段とを有し、前記入力手段により画像を形成する転写紙が指定された際に、前記補正手段は、前記記憶手段を参照して、指定された転写紙の明度と彩度の透過量を用いて前記明度及び彩度の補正量を求めることを特徴としている。
【００１６】
請求項５記載の発明は、転写紙の種別毎に、転写紙の明度と彩度の透過量を記憶しておき、入力手段により転写紙の指定が入力されると、指定された転写紙の明度及び彩度の透過量を用いて画像の補正を行う。従って、操作者から指定された転写紙で精度の高い画像補正を行うことができ、画像の重なり合う領域であっても高い再現性を維持することができる。
【００１７】
請求項６記載の画像形成装置は、請求項１から５のいずれか一項記載の画像形成装置において、前記補正手段は、単色モードで画像を形成する場合、明度の補正だけを行うことを特徴としている。
【００１８】
請求項６記載の発明は、単色モードで画像を形成する場合に、明度の補正だけを行う。画像形成装置の印刷モードに合わせた画像の補正を行うことができる。
【００１９】
請求項７記載の両面画像形成方法は、転写紙の表面と裏面とに画像を形成する両面画像形成方法であって、両面に形成する画像が重なり合う領域で、画像の明度及び彩度を補正することを特徴としている。
【００２０】
請求項７記載の発明は、両面に形成する画像が重なり合う領域で、画像の明度及び彩度を補正している。このため画像の裏写りによる明度と彩度の低下を抑え、画像が重なりあう領域であっても意図した画像を再現することができる。
【００２１】
請求項８記載の両面画像形成方法は、請求項７記載の両面画像形成方法において、前記転写紙の一方の面に形成する画像の明度及び彩度と、他方の面に形成する画像の明度及び彩度が前記一方の面側に透過する透過量とから明度及び彩度の補正量を求めることを特徴としている。
【００２２】
請求項８記載の発明は、転写紙の一方の面に形成する画像の明度及び彩度と、他方の面に形成する画像の明度及び彩度が反対側の面に透過する透過量とから補正量を求めている。従って、形成する画像の明度及び彩度と、反対側の面から透過する画像の明度及び彩度とから補正量を決めているので精度の高い補正を行い、画像の重なり合う領域で高い再現性を維持することができる。
【００２３】
請求項９記載の両面画像形成方法は、請求項８記載の両面画像形成方法において、補正後の画像のＬ＊ａ＊ｂ＊表色系（または色空間）におけるａ＊値とｂ＊値の比率が、前記転写紙の一方の面に形成する画像の前記ａ＊値と前記ｂ＊値との比率と一致するように画像の彩度を補正している。
【００２４】
請求項９記載の発明は、転写紙の一方の面に形成する画像の、Ｌ＊ａ＊ｂ＊表色系（または色空間）におけるａ＊値とｂ＊値との比率に合わせて画像の彩度を補正している。従って、色相を保ちつつ彩度を補正することができ、元の画像と色みが変化することがない。
【発明の効果】
【００２５】
本発明は、表面画像と裏面画像との重なりの部分においても最適な画像を形成することができる。
【発明を実施するための最良の形態】
【００２６】
次に、添付図面を参照しながら本発明の好適な実施例を説明する。
【実施例１】
【００２７】
まず、図１を参照しながら本実施例の構成を説明する。図１に示されるように本実施例は、画像入力部１と、前段色変換部２と、明度補正部３と、彩度補正部４と、後段色変換部５と、透過量検出部６と、制御部７と、操作表示部８と、ＲＯＭ（Ｒｅａｄ  Ｏｎｌｙ  Ｍｅｍｏｒｙ）９と、ＲＡＭ（Ｒａｎｄｏｍ  Ａｃｃｅｓｓ  Ｍｅｍｏｒｙ）１０とを有している。
【００２８】
画像入力部１は、スキャナ等の画像読み取り装置により原稿台上に置かれたオリジナル原稿の画像を読み取り、Ｒ（赤），Ｇ（緑），Ｂ（青）の画像信号を前段色変換部２に出力する。または図示しないパーソナルコンピュータ等の上位装置とのインタフェースとして機能し、上位装置から転送されたＲ，Ｇ，Ｂの画像信号を前段色変換部２に出力する。
【００２９】
前段色変換部２は、画像入力部１から出力されたＲ，Ｇ，Ｂの画像信号に対して補正を行い、Ｒ，Ｇ，Ｂの画像信号をＬ＊，ａ＊，ｂ＊値からなるＬ＊ａ＊ｂ＊表色系（または色空間）の画像信号に変換する。Ｌ＊値は、明度（明るさの度合い）を表し、ａ＊，ｂ＊値は色み（色相と彩度）を表す。明度情報Ｌ＊は、明度補正部３に出力され、色み情報ａ＊，ｂ＊は彩度補正部４に出力される。なお、本実施例では転写紙の両面に画像を形成するため、画像入力部１により転写紙の表面に形成する画像（以下、表面画像と表記する）と、裏面に形成する画像（以下、裏面画像と表記する）とを入力し、前段色変換部２からは表面画像のＬ＊，ａ＊，ｂ＊値と、裏面画像のＬ＊，ａ＊，ｂ＊値とを出力する。以下では説明の便宜上、表面のＬ＊値，ａ＊値，ｂ＊値をＬ（Ｆ），ａ（Ｆ），ｂ（Ｆ）と表記し、裏面のＬ＊値，ａ＊値，ｂ＊値をＬ（Ｂ），ａ（Ｂ），ｂ（Ｂ）と表記する。なお、Ｆは表面（Ｆｒｏｎｔ）を示し、Ｂは裏面（Ｂａｃｋ）を示す。
【００３０】
明度補正部３は、前段色変換部２により出力された表面画像の明度情報Ｌ（Ｆ）及び裏面画像の明度情報Ｌ（Ｂ）と、透過量検出部６で検出された転写紙の明度の変化量とから、明度情報（Ｌ＊）を補正し、補正演算後の値としてＬ（ｏｕｔ）を後段色変換部５に出力する。明度補正部３の補正値算出方法については後述する。
【００３１】
彩度補正部４は、前段色変換部２により出力された表面画像の色み情報（ａ（Ｆ），ｂ（Ｆ））及び裏面画像の色み情報（ａ（Ｂ），ｂ（Ｂ））と、透過量検出部６で検出された転写紙の彩度の変化量とから、色み情報（ａ＊，ｂ＊）を補正し、補正演算後の値としてａ（ｏｕｔ），ｂ（ｏｕｔ）を後段色変換部５に出力する。彩度補正部４の補正値算出方法についても後述する。
【００３２】
後段色変換部５は、明度補正部３から出力される補正演算後の明度情報Ｌ（ｏｕｔ）と、補正演算後の色み情報ａ（ｏｕｔ），ｂ（ｏｕｔ）とのデータを、図示しない画像形成部にて処理可能な形式のＣ（シアン），Ｍ（マゼンタ），Ｙ（イエロー），Ｋ（ブラック）の画像データに変換する。ＣＭＹＫの画像データは図示しない画像形成部に送られて転写紙に画像が形成される。
【００３３】
透過量検出部６は、図２に示されるように転写紙にランプ光を投射するランプ６０１と、転写紙を透過したランプ光を受光するＣＣＤ等の受光部６０２とからなる。透過量検出部６は、転写紙の搬送経路に設けられ、搬送経路を搬送される転写紙にランプ６０１からのランプ光を照射する。ランプ６０１からのランプ光は、転写紙を透過して受光部６０２に受光される。受光部６０２は、転写紙を透過したランプ光を受光して、受光データを制御部７に出力する。
【００３４】
制御部７は、受光部６０２の受光データから転写紙を透過したランプ光の明度及び彩度の情報を取り出し、ランプ６０１のランプ光の明度及び彩度と比較する。転写紙の透過する前と透過した後のランプ光の明度及び彩度を比較することで、転写紙のＬ＊値の変化量α，ａ＊値の変化量β，ｂ＊値の変化量γをそれぞれ検出する。この変化量は転写紙の厚みや転写紙自体の色によって変化する。このランプ光を用いた転写紙のＬ＊値、ａ＊値、ｂ＊値の変化量の検出は、両面印刷を行う転写紙一枚ごとに行うものであってもよいし、印刷設定（給紙口）に変更があった場合に行うものであってもよいし、また給紙部に転写紙が給紙される毎に行ってもよい。
【００３５】
操作表示部８は、印刷を実行する際に、転写紙を画像形成装置側で自動で選択して印刷を行うのか、操作者により転写紙の指定入力を受け付けて、指定された転写紙に印刷を行うのかの設定入力や、印刷する転写紙の指定入力などを入力する。また、両面印刷や片面印刷などの印刷モードを表示したり、操作者により入力された設定を表示したりする。
【００３６】
ＲＯＭ９には、画像形成装置に用意された転写紙毎に、Ｌ＊，ａ＊，ｂ＊の変化量が格納されている。操作表示部８により操作者から転写紙の選択入力があると、制御部７の制御により、指定された転写紙のＬ＊変化量、ａ＊変化量、ｂ＊変化量をＲＡＭ１０に展開する（図４参照）。制御部７はＲＡＭ１０に展開されたＬ＊変化量を明度補正部３に出力し、ａ＊変化量、ｂ＊変化量を彩度補正部４に出力する。
【００３７】
制御部７は、画像入力部１より表面画像と裏面画像とを入力すると、これらの画像データの前段色変換部２、明度補正部３、彩度補正部４、後段色変換部５における処理を制御している。本実施例では転写紙の両面に形成した画像の重なりの部分で、画像の明度と彩度とを補正するものであるため、表面の画素と裏面の画素との対応関係を把握していなればならない。図３を参照しながら制御部７による表面画像と裏面画像との対応付けについて説明する。まず、図３（Ａ）に示す長辺とじの場合には、転写紙表面の左上画素「０」に印刷するデータと、転写紙裏面の右上画素「０」に印刷するデータとを対応させる。同様にして表面左上画素「１」と裏面右上画素「１」、表面左上画素「２」と裏面右上画素「２」と対応付けていく。
【００３８】
また、図３（Ｂ）に示す短辺とじの場合には、転写紙表面の左上画素「０」に印刷するデータと、転写紙裏面の左下画素「０」に印刷するデータとを対応させていく。同様にして表面左上画素「１」と裏面左下画素「１」、表面左上画素「２」と裏面左下画素「２」と対応付けていく。
【００３９】
本実施例では、印刷を行う転写紙にランプ光を当てて、転写紙を透過したランプ光の変化量から、転写紙のＬ＊値の変化量α、ａ＊値の変化量β、ｂ＊値の変化量γをそれぞれ検出する。検出した変化量α、β、γはＲＡＭ１０に展開される。また操作者により印刷を行う転写紙の指定入力があった場合には、指定された転写紙のＬ＊値の変化量α、ａ＊値の変化量β、ｂ＊値の変化量γをＲＯＭ９から取り出し、ＲＡＭ１０に展開する（図４参照）。制御部７がＲＡＭ１０に展開されたデータを明度補正部３、彩度補正部４に転送して明度及び彩度の補正を行う。
【００４０】
裏写りによる画像の視覚への影響は、主に色相の違いではなく、明るさ（明度）や鮮やかさ（彩度）の違いとして認識される。例えば、図５（Ａ）に示されるように、転写紙の表面に赤色画像、図５（Ｂ）に示されるように裏面に青色画像が形成されている場合、これらの画像の重なりの部分では人の目には、“青っぽい赤”ではなく、図５（Ｃ）に示されるように“暗い赤”として認識される。このような点に着目して本実施例では、表面と裏面の画像が重なる領域で、画像の明度と彩度の補正を行う。
【００４１】
明度補正部３は、表面画像の明度Ｌ（Ｆ）と、裏面画像の明度Ｌ（Ｂ）と、転写紙のＬ＊値の変化量αとからＬ＊を補正し、補正演算後のＬ（ｏｕｔ）を出力する。同様にして、彩度補正部４は、表面画像のａ（Ｆ），ｂ（Ｆ）と、裏面画像のａ（Ｂ），ｂ（Ｂ）と、転写紙のａ＊値の変化量β、ｂ＊値の変化量γとからａ＊，ｂ＊を補正し、補正演算後のａ（ｏｕｔ）とｂ（ｏｕｔ）とを出力する。
【００４２】
明度補正部３によるＬ＊値の補正方法について説明する。明度補正部３は、前段色変換部２から送られた表面画像のＬ（Ｆ）値及び裏面画像のＬ（Ｂ）値と、制御部７から送られたＬ＊の変化量αとからＬ（Ｆ）を補正し、補正演算後の値としてＬ（ｏｕｔ）を出力する。まず、裏面画像のＬ（Ｂ）値に制御部７から送られたＬ＊の変化量αを加算して、裏面画像の表面側での明度、すなわち裏面画像の明度Ｌ＊が表面側に透過する透過量Ｌ（Ｂ）＋αを求める。次に、図６に示す明度ＬＵＴ（ルックアップテーブル）を参照して、Ｌ（Ｆ）とＬ（Ｂ）＋αとの値からＬ（ｏｕｔ）を求める。明度ＬＵＴには表面画像の明度Ｌ（Ｆ）と、裏面画像が表面側に透過する明度Ｌ（Ｂ）＋αとから特定されるＬ（ｏｕｔ）が記録されている。明度補正部３により求められた補正演算後の明度Ｌ＊（ｏｕｔ）は、後段色変換部５に出力される。
【００４３】
次に、彩度補正部４による色み情報ａ＊，ｂ＊の補正方法について説明する。彩度補正部４は、前段色変換部２から送られた表面画像のａ（Ｆ），ｂ（Ｆ）及び裏面画像のａ（Ｆ），ｂ（Ｆ）と、制御部７から送られた補正値β，γとから補正演算後の値としてａ（ｏｕｔ）とｂ（ｏｕｔ）とを求める。まず、裏面画像のａ（Ｂ）値に制御部７から送られたａ＊の変化量βを加算して、裏面画像の表面側でのａ＊値、すなわち裏面画像のａ＊値が表面側に透過する透過量ａ（Ｂ）＋βを求める。次に、図７に示す彩度ＬＵＴ（ルックアップテーブル）を参照して、ａ（Ｆ）とａ（Ｂ）＋βとからａ（ｏｕｔ）を求める。彩度ＬＵＴには表面画像のａ＊値であるａ（Ｆ）と、裏面画像の表面側でのａ＊値であるａ（Ｂ）＋βとから特定されるａ（ｏｕｔ）が登録されている。彩度補正部４により求められた補正演算後のａ＊値であるａ（ｏｕｔ）は、後段色変換部５に出力される。ｂ＊値の補正演算後の値であるｂ（ｏｕｔ）も同様の手順により求められ、後段色変換部５に出力される。
【００４４】
本実施例の動作手順を図８に示すフローチャートを参照しながら説明する。本実施例は透過量検出部６により、転写紙の明度及び彩度の透過量を自動検出することも可能であるが、予めＲＯＭ９に転写紙毎の明度及び彩度の変化量を記録しておき、操作者により指定された転写紙の明度及び彩度の変化量をＲＯＭ９から取り出して補正を行うこともできる。
【００４５】
印刷ジョブが開始されると（ステップＳ１）、制御部７は、操作表示部８から転写紙の指定入力があるか否かを判定する（ステップＳ２）。転写紙の指定入力があると（ステップＳ２／ＹＥＳ）、操作者により指定された転写紙のＬ＊値の変化量α、ａ＊値の変化量β、ｂ＊値の変化量γをＲＯＭ９から読み出してＲＡＭ１０に展開する（ステップＳ３）。
【００４６】
また、転写紙の指定入力がなかった場合（ステップＳ２）、制御部７は、印刷ジョブ毎に転写紙の明度、彩度の変化量を透過量検出部６を利用して検出する。制御部７は、透過量検出部６の受光部６０２からの受光データにより、印刷に使用する転写紙の明度、彩度の変化量を検出し、ＲＡＭ１０に展開する（ステップＳ４）。画像入力部１より入力した画像の補正を行う際には、制御部７は、ＲＡＭ１０に展開した転写紙のＬ＊値の変化量を明度補正部３に、ａ＊値の変化量とｂ＊値の変化量とを彩度補正部４に転送して、入力画像の補正指示を出す。
【００４７】
また、表面側の画像データと裏面側の画像データとは画像入力部１から入力され、前段色変換部２で表面画像のＬ（Ｆ），ａ（Ｆ），ｂ（Ｆ）と、裏面画像のＬ（Ｆ），ａ（Ｆ），ｂ（Ｆ）とに変換される。表面画像のＬ（Ｆ）と裏面画像のＬ（Ｂ）は明度補正部３に、表面画像のａ（Ｆ），ｂ（Ｆ）と裏面画像のａ（Ｂ），ｂ（Ｂ）は彩度補正部４に出力される。
【００４８】
明度補正部３は、表面画像の明度Ｌ（Ｆ）と、裏面画像の明度Ｌ（Ｂ）と、転写紙のＬ＊値の変化量αとを入力すると、図６に示す明度ＬＵＴを参照してＬ＊の補正演算後の出力値Ｌ（ｏｕｔ）を求める。同様にして、彩度補正部４は、表面画像のａ（Ｆ），ｂ（Ｆ）と、裏面画像のａ（Ｂ），ｂ（Ｂ）と、転写紙のａ＊値の変化量β、ｂ＊値の変化量γとを入力すると、図７に示す彩度ＬＵＴを参照してａ＊の補正演算後の出力値ａ（ｏｕｔ）と、ｂ＊の補正演算後の出力値ｂ（ｏｕｔ）とを求める（ステップＳ５）
【００４９】
このように本実施例は、両面に形成する画像が重なり合う領域で、画像の明度及び彩度を補正している。このため画像の裏写りによる明度と彩度の低下を抑え、画像が重なりあう領域であっても意図した画像を再現することができる。また、転写紙の表面に形成する画像の明度及び彩度と、裏面に形成する画像の明度及び彩度が表面に透過する透過量とから補正量を求めている。従って、明度及び彩度の補正量を最適な値とすることができ、画像の重なり合う領域で高い再現性を維持することができる。
【実施例２】
【００５０】
添付図面を参照しながら本発明の第２実施例を説明する。本実施例は、上述した第１実施例とは明度補正部３による明度補正方法、及び彩度補正部４による彩度補正方法が異なる。以下では、明度補正部３によるＬ＊値の補正方法と、彩度補正部４によるａ＊値、ｂ＊値の補正方法とを説明する。
【００５１】
まず、明度補正部３による明度（Ｌ＊）の補正演算について説明する。明度補正部３は、前段色変換部２から表面画像の明度Ｌ（Ｆ）及び裏面画像の明度Ｌ（Ｂ）と、制御部７からＬ＊値の変化量αとを入力する。これらのデータを入力すると、明度補正部３は、裏面画像のＬ（Ｂ）値にＬ＊の変化量αを加算して、裏面画像の表面側での明度、すなわち裏面画像が表面側に透過する透過量Ｌ（Ｂ）＋αを求める。次に、図９に示す明度ルックアップテーブルを参照して、表面の明度Ｌ（Ｆ）を変換した変換量Ｌ（Ｆｄ）を求める。同様にして裏面画像の明度Ｌ＊の透過量Ｌ（Ｂ）＋αを変換した変換量Ｌ（Ｂｄ）を求める。明度ルックアップテーブルは、表面画像の明度Ｌ（Ｆ）と、裏面画像の表面側に透過する明度の透過量との差から補正値を算出するための変換量が記録された変換テーブルである。なお、図９の明度ルックアップテーブル中に示すＸはＦ又はＢであることを示し、ｄは、ｄａｒｋの頭文字を取った暗さ係数を意味する。また、図９に示すように明度ルックアップテーブルには、これ以上明度を上げても補正効果のない明度を判定するためのしきい値ＭＡＸ（Ｌ）と、裏面画像からの透過の影響がない明度を判定するためのしきい値ＭＩＮ（Ｌ）とが登録されている。
【００５２】
表面画像の変換量Ｌ（Ｆｄ）と、裏面画像の変換量Ｌ（Ｂｄ）とを求めると、Ｌ（Ｆｄ）からＬ（Ｂｄ）の値を減算し、減算結果（Ｚ）を補正値とする。なお、Ｌ（Ｆ）が図９に示す明度ルックアップテーブルの明度の最小値よりも小さい場合、もしくはＬ（Ｆ）が明度ルックアップテーブルの明度の最大値よりも大きい場合には、Ｚの値は０となる。また、Ｌ（Ｆｄ）からＬ（Ｂｄ）の値を減算した結果が０よりも小さい（Ｚの値が０よりも小さい）場合には、Ｚの値は０となる。
【００５３】
補正値Ｚの値が求められると、表面画像の明度情報Ｌ（Ｆ）から補正値Ｚ値を減算し、補正演算後の出力値Ｌ（ｏｕｔ）を求める。Ｌ（ｏｕｔ）は表面画像の明度補正値として出力される。
【００５４】
次に、彩度補正部４による色み（ａ＊，ｂ＊）の補正演算について説明する。本実施例の彩度補正部４は、表面画像と裏面画像との色相角Ｈ（Ｆ），Ｈ（Ｂ）と、彩度Ｃ（Ｆ），Ｃ（Ｂ）とを求める。色相角Ｈ（Ｆ），Ｈ（Ｂ）と、彩度Ｃ（Ｆ），Ｃ（Ｂ）は以下の式で求めることができる。
【００５５】
【数１】
2005175650.tif 000003
【００５６】
次に、彩度補正部４は、図１０に示す色相角ルックアップテーブルを参照して、Ｈ（Ｆ）の値からＨ（Ｆｄ）を求める。同様にしてＨ（Ｂ）の値からＨ（Ｂｄ）を求める。図１０に示す色相角ルックアップテーブルには、補正を行う色相角Ｈ（Ｘ）と、この色相角Ｈ（Ｘ）の値に重みを付けて変換した変換量Ｈ（Ｘｄ）とが示されている。この変換量から彩度の補正値を求める。
【００５７】
また、彩度補正部４は、図１１に示す彩度ルックアップテーブルを参照して、Ｃ（Ｆ）の値からＣ（Ｆｄ）を求める。同様にしてＣ（Ｂ）の値からＣ（Ｂｄ）を求める。図１１に示す彩度ルックアップテーブルには、表面画像と裏面画像の色相角と彩度とから、彩度の補正値を求めるための変換量が示されている。
【００５８】
次に、彩度補正部４は、求めた表面画像の色相角Ｈ（Ｆｄ）及び彩度Ｃ（Ｆｄ）と、裏面画像の色相角Ｈ（Ｂｄ）及び彩度Ｃ（Ｂｄ）とから表面画像の彩度補正値Ｃ（ｏｕｔ）を求める。Ｃ（ｏｕｔ）は以下に示す式１で求めることができる。
Ｃ（ｏｕｔ）＝Ｃ（Ｆ）＋｛Ｃ（Ｆｄ）×Ｈ（Ｆｄ）−Ｃ（Ｂｄ）×Ｈ（Ｂｄ）｝                                                      ・・・（式５）
【００５９】
次に、求められた彩度補正値Ｃ（ｏｕｔ）からａ＊、ｂ＊の補正値ａ（ｏｕｔ）、ｂ（ｏｕｔ）を求める。この際、表面画像のａ（Ｆ）とｂ（Ｆ）の比率と同じ比率になるようにａ（ｏｕｔ）とｂ（ｏｕｔ）の値を決定する。
【００６０】
まず表面画像の彩度Ｃ（Ｆ）が０であった場合には、ａ（ｏｕｔ）、ｂ（ｏｕｔ）の値は共に０となる。
【００６１】
次に、表面画像の彩度Ｃ（Ｆ）が０ではなかった場合について説明する。表面画像の彩度Ｃ（Ｆ）が０ではなかった場合に、Ｃ（ｐ）の値を求める。なお、ｐはパーセンテージを示し、ａ（Ｆ）：ｂ（Ｆ）：Ｃ（ｏｕｔ）＝ａ（ｐ）：ｂ（ｐ）：Ｃ（ｐ）となるような補正値の割合を示している。例えばａ（Ｆ）＝２０、ｂ（Ｆ）＝１０、Ｃ（Ｆ）≒２２．３６の時には、ａ（ｐ）＝２、ｂ（ｐ）＝１、Ｃ（ｐ）≒２．２３６となる。また、ａ（Ｆ）＝２０、ｂ（Ｆ）＝０、Ｃ（Ｆ）＝２０の時には、ａ（ｐ）＝１、ｂ（ｐ）＝０、Ｃ（ｐ）＝１となる。
【００６２】
Ｃ（ｐ）の値は、以下に示す式２によって求められる。
【００６３】
【数２】
2005175650.tif 000004
【００６４】
Ｃ（ｐ）の値が求められると、このＣ（ｐ）とＣ（ｏｕｔ）とからａ（ｏｕｔ）、ｂ（ｏｕｔ）を求める。ａ（ｏｕｔ）、ｂ（ｏｕｔ）を求める式を以下に示す。
ａ（ｏｕｔ）＝｛Ｃ（ｏｕｔ）／Ｃ（ｐ）｝×ａ（ｐ）      ・・・・（式７）
ｂ（ｏｕｔ）＝｛Ｃ（ｏｕｔ）／Ｃ（ｐ）｝×ｂ（ｐ）      ・・・・（式８）
なお、ａ（Ｆ）＜０の時には、ａ（ｏｕｔ）＝−ａ（ｏｕｔ）となる。同じくｂ（Ｆ）＜０の時には、ｂ（ｏｕｔ）＝−ｂ（ｏｕｔ）となる。
【００６５】
このようにａ（Ｆ）とｂ（Ｆ）とＣ（ｏｕｔ）との比率から表面画像のａ＊の補正値、ｂ＊の補正値を求める。すなわち、彩度補正値Ｃ（ｏｕｔ）を求め、色相が保存されるように色み（ａ＊，ｂ＊）の補正値を決定している。色相を保ちつつ彩度を補正することができるので、元の画像と色みが変化することがない。
【００６６】
なお、上述した実施例では、図９〜図１１に示すルックアップテーブルを利用してそれぞれ、明度、彩度、色相角の変換量を求めているが、ルックアップテーブルはこれだけに限定されるものではない。例えば、図１２〜図１４に示すように、変換量が段階的に変化するような変換テーブルであってもよい。
【００６７】
なお、上述した実施例は本発明の好適な実施例である。但し、これに限定されるものではなく、本発明の要旨を逸脱しない範囲内において種々変形実施可能である。また、上述した実施例では、表面画像と、裏面画像の表面側に透過した画像とから、表面側の画像の明度と彩度を補正していた。裏面の画像を補正する場合にも同様の手順を適用することができる。すなわち、裏面画像と、表面画像の裏面側に透過した画像とから、裏面画像の明度と彩度を補正する。
【図面の簡単な説明】
【００６８】
【図１】本実施例の画像形成装置の構成を示すブロック図である。
【図２】透過量検出部６の構成を示す図である。
【図３】転写紙の表面と裏面との画素の対応関係を示す図である。
【図４】ＲＯＭ９に格納されたデータをＲＡＭ１０に展開した状態を示す図である。
【図５】画像の重なりの部分での画像データの補正方法を説明するための図である。
【図６】第１実施例の明度ルックアップテーブの構成を示す図である。
【図７】第１実施例の彩度ルックアップテーブルの構成を示す図である。
【図８】第１実施例の動作手順を示すフローチャートである。
【図９】第２実施例の明度ルックアップテーブルの構成を示す図である。
【図１０】第２実施例の色相角ルックアップテーブルの構成を示す図である。
【図１１】第２実施例の彩度ルックアップテーブルの構成を示す図である。
【図１２】第２実施例に適用可能な他の明度ルックアップテーブルを示す図である。
【図１３】第２実施例に適用可能な他の色相角ルックアップテーブルを示す図である。
【図１４】第２実施例に適用可能な他の彩度ルックアップテーブルを示す図である。
【図１５】従来例の構成を示す図である。
【符号の説明】
【００６９】
１  画像入力部                    ２  前段色変換部
３  明度補正部                    ４  彩度補正部
５  後段色変換部                  ６  透過量検出部
７  制御部                        ８  操作表示部
９  ＲＯＭ                        １０  ＲＡＭ
６０１  ランプ                    ６０２  受光部
【図１】
2005175650.tif 000005
【図２】
2005175650.tif 000006
【図３】
2005175650.tif 000007
【図４】
2005175650.tif 000008
【図５】
2005175650.tif 000009
【図６】
2005175650.tif 000010
【図７】
2005175650.tif 000011
【図８】
2005175650.tif 000012
【図９】
2005175650.tif 000013
【図１０】
2005175650.tif 000014
【図１１】
2005175650.tif 000015
【図１２】
2005175650.tif 000016
【図１３】
2005175650.tif 000017
【図１４】
2005175650.tif 000018
【図１５】
2005175650.tif 000019